(57)【要約】【課題】初心者が三味線の稽古で、バチを握る際に安定したグリップの形を容易かつ自然的に体得できる三味線用バチ及びそれに用いるグリップ補助具を提供すること。【解決手段】バチ握り部１の上面１ａから内側面１ｂにわたる所定位置に、弾性を有し表面が凹凸形状からなるグリップ補助具１０をバチＡに取り付け、それによって、該補助具１０を弾き手Ｂの薬指（ニ）と小指（ホ）との間で挟んで小指（ホ）が握り部１の内側面１ｂに自然に接するグリップの形がとれるようにしたこと。【選択図】　　　図３
2004109957.tif 000002
【特許請求の範囲】
【請求項１】
バチ握り部の上面から内側面にわたる所定位置に、弾性を有し表面が凹凸形状からなるグリップ補助具を取り付け、該補助具を弾き手の薬指と小指との間で挟んで小指が握り部の内側面に自然に接するようにした三味線用バチ。
【請求項２】
さらに、バチ本体部の上面に、親指の当て位置を示す指標を付したことを特徴とする請求項１記載の三味線用バチ。
【請求項３】
凹部の前後にそれぞれ凸部を有し裏面が平坦な主体部と、その前側凸部の一側を下向きに延出させた側縁部とを一体に形成した弾性体からなる三味線用バチに用いるグリップ補助具。
【発明の詳細な説明】
【０００１】
【発明の属する技術分野】
本発明は三味線用バチ及びそれに用いるグリップ補助具に関し、さらに詳しくは、初心者が三味線の稽古で安定したバチ（撥）の握り方を体得する際に有用なバチ及びそのバチに取り付け使用されるグリップ補助具に関する。
【０００２】
【従来の技術】
三味線の初心者にとって、バチの握り方つまりグリップの形を体得することはかなり難しく、初めは教えられたとおり正しく握れても弾いている間にグリップの形がくずれてくることが多い。その場合、三味線のレッスンがマンツーマン方式（対面式）であれば、指導者はすぐに注意して正しいグリップの形に直すことができる。
しかし、グループレッスンの場合には、指導者の目が全員に行き届かないことがあるために、間違った形で体得してしまうおそれがあり、それが初期の数ヶ月続くと間違った形で固まってしまうため、そのグリップを修正させることが困難になる。
【０００３】
本来、弾き手のグリップの形は、バチ握り部（柄部）に配指される小指がずれないように押さえることが重要であり、初心者は、特に小指の位置が定まらないため、小指が握り部から外れやすく、バチの握りが不安定になり弾きにくくなるという問題がある。
斯る問題を解決するために、従来、バチ握り部に小指の入る大きさの輪を形成する張りゴムを取り付けたバチ（特許文献１参照）、あるいは、一組の面ファスナーを紐で連結し、該紐を折り返して小指の入る輪を形成する保持具を取り付けたバチが知られている（特許文献２参照）。
なお、従来は、弾き手の親指をバチ本体部に当てる位置までを指標するバチについては知られていなかった。
【０００４】
【特許文献１】
実開平１−７３８９５号公報（全体、特に図３）
【特許文献２】
実開平２−２１６９６号公報（全体、特に図３）
【０００５】
【発明が解決しようとする課題】
しかしながら、上記従来のバチにおいては、グリップの形を安定させるには十分ではなかった。
すなわち、上記特許文献１及び特許文献２のいずれにおいても、小指をゴム輪又は紐輪に入れて固定するものであるが、それらの図３から明らかなように、小指がバチ握り部の上面に沿って平行に配指され、しかも輪の部分は前後方向への移動が規制されていないために、弾き手の握力が弱まってくると小指が前後方向へずれてグリップの形がくずれる結果、安定したグリップの体得ができない等の不具合があった。
【０００６】
本発明は、斯る事情に鑑み、上記従来不具合を解消して初心者が三味線の稽古で、バチを握る際に安定したグリップの形を容易かつ自然的に体得できる三味線用バチを提供することを目的とする。
また、本発明は、上記バチに取り付け使用される付属品、すなわちグリップ補助具を提供するものである。
【０００７】
【課題を解決するための手段】
斯る本発明の三味線用バチは、バチ握り部の上面から内側面にわたる所定位置に、弾性を有し表面が凹凸形状からなるグリップ補助具を取り付け、それによって、該補助具を弾き手の薬指と小指との間で挟んで小指が握り部の内側面に自然に接するグリップの形がとれるようにしたことを特徴とする。
それにより、引き手は、握り部の内側面に沿って接する小指と、外側面から押さえる薬指、中指及び人差指とにより握り部を堅固に握る形が得られ、特に、小指の横方向へのずれは生じないとともに、補助具を薬指と小指との間で挟むので、両指の前後方向への移動が規制されて弾き手の前後方向のずれも生じない安定したグリップの形となる。
なお、このグリップ補助具は、上記安定したグリップの形を体得した段階では必要なくなるので、着脱可能に取り付けることが好ましい。
【０００８】
また、本発明の三味線用バチは、バチ本体部の上面に、親指の当て位置を示す指標を付したことを特徴とする。
それにより、指標を目印として、その上に親指の指先をおくことにより、全体として正しいグリップの形を体得することができる。
なお、この指標もまた、グリップの形が固定した段階では不要になるので、着脱可能に取り付けることが好ましい。
【０００９】
さらに、本発明のグリップ補助具は、上記三味線用バチに取り付け使用するものであって、凹部の前後にそれぞれ凸部を有し裏面が平坦な主体部と、その前側凸部の一側を下向きに延出させた側縁部とを一体に形成した弾性体であることを特徴とする。
このグリップ補助具は、その主体部を粘着材によりバチ握り部の上面所定位置に貼付け、側縁部を内側面に位置させた状態で握り部に取り付け、主体部の凹部に弾き手の薬指と小指との間を挟み入れ、小指を側縁部の後面に押し当てることによって、上述したような、弾き手の安定したグリップを形作ることができる。なお、グリップ補助具は、主体部だけでなく側縁部にも粘着材を設けておき、該側縁部も握り部の内側面に貼り付けることもよく、それによって、補助具をより堅固に取り付けることが可能となる。
【００１０】
【発明の実施の形態】
本発明の実施の形態を図面により説明すれば、図１は三味線用バチＡを示す。バチＡは、それ自体一般的なものであり、このバチ握り部１にグリップ補助具１０を取り付け、バチ本体部２に指標２０を取り付けて構成される。
【００１１】
グリップ補助具１０は、その形状を図１および図２により説明すると、主体部１１と側縁部１２とにより構成され、主体部１１は、表面がなめらかな山型形状の前側凸部１１ａ及び後側凸部１１ｂと両凸部間に介在するなめらかな谷型形状の凹部１１ｃとを有し、裏面１１ｄを平坦面に形成している。
前側凸部１１ａは、その略中央部より後方へ向けてなめらかに下り、後側凸部１１ｂは、隆起状であってその略中央部より前方へ向けてなめらかに下る稜線が前側凸部１１ａの下り稜線に連接して凹部１１ｃが形成されている。
凹部１１ｃは、そこに引き手Ｂの薬指（ニ）と小指（ホ）との間、詳しくは、両指の付け根間の指股ｂを挟み入れる部分であり、指股ｂを安定して挟み入れできるように、好ましくは横断面をなめらかな凸湾曲状とする。
【００１２】
側縁部１２は、前側凸部１１ａの一側をその凸状を下向きに延出させた形状であり、その裏面１２ａを平坦面に形成している。
この側縁部１２は、弾き手Ｂの小指（ホ）、詳しくは小指（ホ）の付け根から第二関節までの部位を押し当てる部分であり、安定した小指（ホ）の配指ができるように、好ましくは主体部１１から垂直に延出させる。
【００１３】
上記主体部１１及び側縁部１２は、いずれも平坦な裏面１１ｄ及び１２ａに感圧接着剤や両面粘着テープなどの粘着材（図示省略）を設け、その粘着材によりバチＡの握り部１に貼り付けて、グリップ補助具１０をバチＡに取り付けるようにする。
なお、粘着材は、グリップ補助具１０を製作する段階で予め形成しておくこと、又はグリップ補助具１０をバチＡに取り付ける直前に設けることのいずれでもよく、予め形成しておく場合には、粘着材の粘着面に剥離紙を添付しておき、使用前のグリップ補助具１０の保管や取り扱いに便利なようにしておく。
また、粘着材は、主体部１１及び側縁部１２の裏面１１ｄ及び１２ａに設けることにより堅固な取り付けとなって好ましいが、主体部１１の裏面１１ｄのみに設けることも任意である。
【００１４】
上記グリップ補助具１０は、主体部１１と側縁部１２とを一体に形成した弾性体である。この弾性体は、ゴム、スポンジや発泡材などの弾性材を素材として成型することにより弾性をもたせ、又はプラスチック材を中空状に成型するなど形状により弾性をもたせるなど何れでもよい。図示のグリップ補助具１０はゴムにより一体成型した場合を例示する。
このグリップ補助具１０の弾性により、弾き手Ｂの指当たりをソフトにするものである。
【００１５】
上記グリップ補助具１０は、その側縁部１２の裏面１２ａがバチ握り部１の内側面１ｂに接する状態で、主体部１１をバチ握り部１の上面１ａの所定位置におき、それぞれの粘着材で各面に貼り付けることによってバチ握り部１の所定位置に取り付けられる。
【００１６】
指標２０は、任意のマークを表記したシール、あるいは無地の着色シールであって、バチ本体部２の親指（イ）の指先を当てる位置に貼り付けて該位置の目印とするものである。
なお、指標２０は、シールに代えて、バチ本体部２の所定位置に直接に表記したマーク等であってもよい。
【００１７】
次に、上記バチＡの握り方（グリップの形）について図３により説明する。
先ず、バチＡを弾き手Ｂの反対の手（左手）で持ち、弾き手Ｂの薬指（ニ）と小指（ホ）とを開いて両指の指股ｂをグリップ補助具１０の凹部１１ｃに挟み入れるとともに、小指（ホ）をバチ握り部１の内側面１ｂに自然に沿わせ、その状態で薬指（ニ）、中指（ハ）及び人差し指（ロ）を握り部１の外側面から底面に沿わせて握り込む。
次いで、親指（イ）の指先をバチ本体部２の指標２０を目印としてその上に押し当てる。
【００１８】
上記グリップの形によれば、弾き手Ｂの小指（ホ）の側面がグリップ補助具１０の側縁部１２に押し当たるとともに、薬指（ニ）と小指（ホ）との間の指股ｂが凹部１１ｃに嵌まり込んで前後の凸部１１ａ，１１ｂにより前後方向のずれが規制され、しかもバチ握り部１の内側面１ｂに自然に沿う小指（ホ）が、その内側面１ｂにより横方向のずれも規制されて、安定したグリップ形態である。
なお、弾き手Ｂの小指（ホ）は、握り部１の内側面１ｂに沿って第二間接から先の部分を自然に折り曲げた状態にすればよい。
【００１９】
したがって、グリップ補助具１０を案内としてバチＡを握ると自然に安定したグリップの形を保持することができる。
そして、安定したグリップの形が固定したときにはグリップ補助具１０は不要になるが、その場合には、粘着材で貼り付けているグリップ補助具１０を取り外し、同様に指標２０も剥がすことによって通常のバチＡとして使用できる。
【００２０】
なお、上記グリップ補助具１０において、主体部１１の表面凹凸形状は、薬指（ニ）と小指（ホ）との指股ｂを嵌め合い前後方向へのずれを規制することが重要であって、その凸部１１ａ，１１ｂや凹部１１ｃの形状、大小は前示実施の形態に限定されるものではない。
同様に、側縁部１２もまた、小指（ホ）の側面が押し当たるものであれば、その形状等は実施の形態に制限されるものではない。
また、弾き手Ｂの大小に対応できるように、形状や大小異なるものを複数用意しておくことも自由である。
【００２１】
【発明の効果】
本発明の三味線用バチによれば、バチに取り付けたグリップ補助具を案内としてバチ握り部を握ると、従来品に比べて、より安定したバチの握り方を保持することができる。したがって、三味線の初心者でも容易に体得できるとともにグループレッスンの場合でも安心して効率的に指導できる有用な三味線用バチ及びグリップ補助具を提供することができる。
また、バチ本体部の上面に親指の当て位置を示す指標を設けることによって、さらに弾き手全体の安定した正しい握り方を体得することができる。
【００２２】
さらに、グリップ補助具が弾性を有するので、弾き手の指当たりがソフトであって、長時間の稽古でも疲労が少なく効率的な三味線の習得が可能となる。
【図面の簡単な説明】
【図１】本発明の三味線用バチを示す斜視図である。
【図２】グリップ補助具を示し、その（１）は側面図、（２）は（１）における（Ｘ）−（Ｘ）線断面図、（３）は裏面斜視図である。
【図３】握り持った状態を示すバチの斜視図である。
【符号の説明】
Ａ：バチ　　　　　　　　　　　Ｂ：弾き手　　　　　　　１：バチ握り部１ａ：上面　　　　　　　　　　１ｂ：内側面　　　　　　　２：バチ本体部
１０：グリップ補助具　　　　　１１：主体部　　　　　１１ａ：前側凸部
１１ｂ：後側凸部　　　　　　１１ｃ：凹部　　　　　　１１ｄ：裏面
１２：側縁部　　　　　　　　　２０：親指の指標
【図１】
2004109957.tif 000003
【図２】
2004109957.tif 000004
【図３】
2004109957.tif 000005